【手続補正書】
【提出日】平成16年12月9日(2004.12.9)
【手続補正１】
【補正対象書類名】明細書
【補正対象項目名】発明の名称
【補正方法】変更
【補正の内容】
【発明の名称】ディスク状記録媒体及びその再生装置
【手続補正２】
【補正対象書類名】明細書
【補正対象項目名】特許請求の範囲
【補正方法】変更
【補正の内容】
【特許請求の範囲】
【請求項１】
第1の情報と、第２の情報が少なくとも記録されたディスク状記録媒体であって、
前記第1の情報は、真贋判定用に事前に用意された第1グループから選択されたものであり、
前記第２の情報は、真贋判定用に事前に用意された第２グループから選択されたものであり、
前記第１の情報と前記第２の情報は、互いに独立であり、真贋判定時にこれらの組み合わせを用いるように用意されたものであることを特徴とするディスク状記録媒体。
【請求項２】
少なくとも第1の情報と、第２の情報と、前記第1の情報と前記第２の情報とは無関係な一般情報と、が記録され、
前記第1の情報は、真贋判定用に事前に用意された第1グループから選択されたものであり、
前記第２の情報は、真贋判定用に事前に用意された第２グループから選択されたものであり、
前記第１の情報と前記第２の情報は、互いに独立であり、真贋判定時にこれらの組み合わせを用いるように用意されたものであることを特徴とするディスク状記録媒体。
【請求項３】
前記第1の情報は、リードインエリアに記録されていることを特徴とする請求項１又は２に記載のディスク状記録媒体。
【請求項４】
前記第1の情報は、ピットまたはグルーブパターンとして記録されていることを特徴とする請求項１乃至３のいずれかに記載のディスク状記録媒体。
【請求項５】
前記第２の情報は、バーコードとして記録されていることを特徴とする請求項１乃至４のいずれかに記載のディスク状記録媒体。
【請求項６】
ディスク形状を有し、厚さ０．６ｍｍの第１の基板と、接着層と、厚さ０．６ｍｍの第２の基板と、が少なくとも順次積層されていることを特徴とする請求項１乃至５のいずれかに記載のディスク状記録媒体。
【請求項７】
前記ディスク状記録媒体は、相変化型記録ディスクであることを特徴とする請求項１乃至６のいずれかに記載のディスク状記録媒体。
【請求項８】
前記第1の情報は、前記一般情報に対してウォブル信号として重畳記録されていることを特徴とする請求項２に記載のディスク状記録媒体。
【請求項９】
前記第1の情報は、前記一般情報に対してアシンメトリ変動として重畳記録されていることを特徴とする請求項２に記載のディスク状記録媒体。
【請求項１０】
前記一般情報は画像であり、前記第1の情報は、前記一般情報に対して電子透かし形状で重畳記録されていることを特徴とする請求項２に記載のディスク状記録媒体。
【請求項１１】
第1の情報と第２の情報が少なくとも記録されたディスク状記録媒体を装着したディスク状記録媒体の再生装置であって、
前記第1の情報を読み取る第1の読み取り手段と、
前記第２の情報を読み取る第２の読み取り手段と、
を少なくとも有し、
前記第1の情報は、真贋判定用に事前に用意された第１グループから選択されたものであり、前記第２の情報は、真贋判定用に事前に用意された第２グループから選択されたものであり、前記第1の情報と前記第２の情報は互いに独立であり、真贋判定時にこれらの組み合わせを用いるように用意されたものであることを特徴とするディスク状記録媒体の再生装置。
【請求項１２】
第1の情報と、第２の情報と、前記第１の情報及び前記第２の情報とは無関係な一般情報とが少なくとも記録されたディスク状記録媒体を装着したディスク状記録媒体の再生装置であって、
前記第1の情報を読み取る第1の読み取り手段と、
前記第２の情報を読み取る第２の読み取り手段と、
を少なくとも有し、
前記第1の情報は、真贋判定用に事前に用意された第１グループから選択されたものであり、前記第２の情報は、真贋判定用に事前に用意された第２グループから選択されたものであり、前記第1の情報と前記第２の情報は互いに独立であり、真贋判定時にこれらの組み合わせを用いるように用意されたものであることを特徴とするディスク状記録媒体の再生装置。
【請求項１３】
前記第1の読み取り手段と、前記第２の読み取り手段は、共に光ピックアップによる読み取り手段であることを特徴とする請求項１１又は１２に記載のディスク状記録媒体の再生装置。
【請求項１４】
前記ディスク状記録媒体がディスク状のディスク状記録媒体であることを特徴とする請求項１１乃至１３のいずれかに記載のディスク状記録媒体の再生装置。
【請求項１５】
前記第１グルーブと前記第２グルーブの組み合わせに関して予め登録された正規組み合わせを保存したメモリ手段と、
前記第1の情報と前記第２の情報の組み合わせと前記登録された正規組み合わせを照合し、両者が一致しないときには偽造品と同定する真贋判定手段と、
を有したことを特徴とする請求項１１又は１２に記載のディスク状記録媒体の再生装置。
【請求項１６】
前記第1の情報と前記第２の情報の組み合わせについて、統計解析を行う統計解析手段を有したことを特徴とする請求項１５に記載のディスク状記録媒体の再生装置。
【請求項１７】
前記統計解析手段は、標準偏差を計算して解析する手段であることを特徴とする請求項１６に記載のディスク状記録媒体の再生装置。
【請求項１８】
前記統計解析手段は、標準偏差の時間微分値を計算して解析する手段であることを特徴とする請求項１６に記載のディスク状記録媒体の再生装置。
【手続補正３】
【補正対象書類名】明細書
【補正対象項目名】０００１
【補正方法】変更
【補正の内容】
【０００１】
【発明の属する技術分野】
本発明は、特にＣＤ（コンパクトディスク）やＤＶＤ（デジタルビデオディスク、デジタルバーサタイルディスク）のように大量生産、大量頒布される場合に好適なディスク状記録媒体及びその再生装置に関する。
【手続補正４】
【補正対象書類名】明細書
【補正対象項目名】０００５
【補正方法】変更
【補正の内容】
【０００５】
そこで、本発明は上記問題点に鑑み、極めて精巧な偽造品が流通したことを早期に検出することができるディスク状記録媒体及びその再生装置を提供することを目的とする。
【手続補正５】
【補正対象書類名】明細書
【補正対象項目名】０００７
【補正方法】変更
【補正の内容】
【０００７】
すなわち本発明によれば、第1の情報と、第２の情報が少なくとも記録されたディスク状記録媒体であって、前記第1の情報は、真贋判定用に事前に用意された第1グループから選択されたものであり、前記第２の情報は、真贋判定用に事前に用意された第２グループから選択されたものであり、前記第１の情報と前記第２の情報は、互いに独立であり、真贋判定時にこれらの組み合わせを用いるように用意されたものであることを特徴とするディスク状記録媒体が提供される。
【手続補正６】
【補正対象書類名】明細書
【補正対象項目名】０００８
【補正方法】変更
【補正の内容】
【０００８】
また本発明によれば、第1の情報と第２の情報が少なくとも記録されたディスク状記録媒体を装着したディスク状記録媒体の再生装置であって、前記第1の情報を読み取る第1の読み取り手段と、前記第２の情報を読み取る第２の読み取り手段と、
を少なくとも有し、前記第1の情報は、真贋判定用に事前に用意された第１グループから選択されたものであり、前記第２の情報は、真贋判定用に事前に用意された第２グループから選択されたものであり、前記第1の情報と前記第２の情報は互いに独立であり、真贋判定時にこれらの組み合わせを用いるように用意されたものであることを特徴とするディスク状記録媒体の再生装置が提供される。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】